(57)【要約】  雌型管継手部材（３）と雄型管継手部材（５）からなる管継手（１）。雌型管継手部材（３）は、雌型本体（１１）と、施錠子孔（１３）と、施錠子（１５）と、施錠子孔（１３）内から施錠子が抜け出すのを阻止する外筒（１７）とを備える。雄型管継手部材（５）は雄型本体（２１）と、変位防止部（２３）と、係合溝（２５）と、スリーブ（２７）とを備え、雌型本体（１１）の外周面（１２）と外筒（１７）との間にはスリーブ受入部（１９）が形成されている。スリーブ受入部（１９）には、雌型本体（１１）の外周面（１２）に開口した施錠子孔の開口縁（１３ｂ）よりも半径方向外側に噛込み防止部（２０）を有し、スリーブ（２７）に押された施錠子が開口縁（１３ｂ）とスリーブとの間に噛み込まれるのを防止する。
2009041630.tif 000002
【特許請求の範囲】
【請求項１】
雌型管継手部材と雄型管継手部材からなる管継手において、
雌型管継手部材は、
筒状の雌型本体と、
該雌型本体に取り付けられ、該雌型本体の外周面との間に環状のスリーブ受入部を形成する外筒と、
該雌型本体を半径方向で貫通し、該雌型本体の外周面に開口縁を画定するように設けられる施錠子孔と、
施錠子孔内において該半径方向で変位可能とされた施錠子であって、一部が該雌型本体の内周面よりも内側に突出する内側位置と、該外筒の内周面と係合して、該施錠子孔からの抜け出しを阻止された外側位置との間で変位可能とされた施錠子と、
を備え；
雄型管継手部材は、
雌型本体内に挿入される筒状の雄型本体であって、その外周面が、該雌型本体内に挿入されるときに該施錠子が該内側位置に変位するのを阻止する変位阻止部と、該変位阻止部に続きその後側に設けられた施錠子係合溝とを有し、該雄型本体が該雌型本体内に挿入されて、該係合溝が該施錠子と半径方向で整合する位置まで来たときに、該施錠子が半径方向内側に変位して該係合溝に入るようにされた雄型本体と、
該雄型本体の外周面上に該雄型本体の軸線方向で摺動可能に設けられ当該雄型本体の前方にバネにより付勢されたスリーブであって、該雄型本体が該雌型本体内に挿入されるときに、該スリーブ受入部内に挿入されて、該変位阻止部によって該内側位置への変位を阻止されている該施錠子に係合して該挿入方向への変位を阻止され、施錠子係合溝が該施錠子と半径方向で整合されたときに、該バネの付勢力により該前方へ変位されることにより、該施錠子を該内側位置に変位させて該施錠子係合溝に嵌合させ、該施錠子の半径方向外側位置に位置して該施錠子を施錠子溝内にロックするようにしたスリーブと；
を有し、該雌型管継手部材は、更に、該雌型本体の該外周面上で該開口縁の該雌型本体を基準として後側の位置に設けられた噛込み阻止部材であって、該外側位置にある該施錠子に該スリーブが係合したときに、該施錠子と係合して該施錠子が該スリーブと該開口縁の後側部分との間に噛み込まれるのを阻止する噛込み阻止部材を有する管継手。
【請求項２】
該噛込み阻止部材が、該施錠子孔の後側壁面に連続して半径方向外側に延び、該外側位置にある該施錠子に該スリーブが係合したときに、該施錠子と係合して該施錠子が該スリーブと該開口縁との間に噛み込まれるのを阻止する噛込み阻止面を有する請求項１に記載の管継手。
【請求項３】
該噛込み阻止部材が、半径方向外側且つ後方に傾斜し該スリーブ受入部に面する環状面を有し、該環状面に該噛込み阻止面が形成されている請求項２に記載の管継手。
【請求項４】
該施錠子が球形とされ、該外側位置にあるときに、その中心が、該施錠子孔の該開口縁が画定されている該雌型本体の該外周面より半径方向外側位置にあるようにされた請求項２に記載の管継手。
【請求項５】
該施錠子孔の該後側壁面及び該後側壁面に連続する該噛込み阻止面が、当該雌型本体を基準として半径方向外側且つ後方に延びる傾斜面を形成している請求項２乃至４のいずれかに記載の管継手。
【請求項６】
該スリーブの前端面が当該スリーブの半径方向内側且つ後方に延びる傾斜面とされている請求項１乃至４のいずれかに記載の管継手。
【請求項７】
雄型管継手部材に連結される雌型管継手部材において、
前端から該雄型管継手部材の筒状の雄型本体を受け入れるようになされている雌型本体と、
該雌型本体に取り付けられて該雌型本体の外周面との間に環状のスリーブ受入部を形成し、該雄型本体が雌型本体内に挿入されるときに、該雄型本体の外周面上に摺動可能に設けられてバネにより当該雄型本体の前方に付勢されたスリーブを該スリーブ受入部に受け入れるようになされた外筒と、
該雌型本体を半径方向で貫通し、該雌型本体の外周面に開口縁を画定するように設けられる施錠子孔と、
施錠子孔内において該半径方向で変位可能とされ、一部が該施錠子孔が形成されている雌型本体の内周面よりも内側に突出する内側位置と、該外筒の内周面と係合して、該施錠子孔からの抜け出しを阻止される外側位置との間で変位可能とされた施錠子であって、該雄型本体が該雌型本体内に挿入されるときに、該雄型本体の外周面によって係合されて該内側位置に変位するのを阻止され、該雄型本体の外周面に形成された施錠子係合溝が当該施錠子に半径方向で整合する位置まで該雄型本体が挿入されると、該バネによって付勢された該スリーブによって該内側位置に変位されて該係合溝に嵌合されるようにされ、該施錠子の半径方向外側位置に位置するようにされたスリーブによって施錠子溝内にロックされるようにした施錠子と；
を有し、該雌型管継手部材は、更に、該雌型本体の該外周面上で該開口縁の当該雌型本体を基準として後側の位置に設けられた噛込み阻止部材であって、該外側位置にある該施錠子に該スリーブが係合したときに、該施錠子と係合して該施錠子が該スリーブと該開口縁の後側部分との間に噛み込まれるのを阻止する噛込み阻止部材を有する雌型管継手部材。
【請求項８】
該施錠子噛込み阻止部材が、該施錠子孔の後側壁面に連続して半径方向外側に延び、該外側位置にある該施錠子に該スリーブが係合したときに、該施錠子と係合して該施錠子が該スリーブと該開口縁との間に噛み込まれるのを阻止する噛込み阻止面を有する請求項７に記載の雌型管継手部材。
【請求項９】
該噛込み阻止部材が、半径方向外側且つ後方に傾斜し該スリーブ受入部に面する環状面を有し、該環状面に該噛込み阻止面が形成されている請求項８に記載の雌型管継手部材。
【請求項１０】
該施錠子が球形とされ、該外側位置にあるときに、その中心が該雌型本体の該外周面より半径方向外側位置にあるようにされた請求項８に記載の雌型管継手部材。
【請求項１１】
該施錠子孔の該後側壁面及び該後側壁面に連続する該噛込み阻止面が、当該雌型本体を基準として半径方向外側且つ後方に延びる傾斜面を形成している請求項８乃至１０のいずれかに記載の雌型管継手部材。
【請求項１２】
該環状面が、該スリーブの前端面と当接されるようにされている請求項９に記載の雌型管継手部材。
【発明の詳細な説明】
【技術分野】
【０００１】
本発明は、高圧流体に適した管継手及び雌型管継手部材に関する。
【背景技術】
【０００２】
特開２００１−２５４８８６号には、雌型管継手部材と雄型管継手部材からなる管継手が開示されている。雌型管継手部材は略円筒体状の雌型本体と、雌型本体を半径方向で貫通するように形成した施錠子孔と、施錠子孔内で変位可能とされた施錠子と、雌型本体の外周面との間に環状のスリーブ受入部を形成するとともに該施錠子が施錠子孔から抜け出るのを阻止する外筒を有する。雄型管継手部材は雌型本体内に挿入される略円筒体状の雄型本体と、雄型本体の外周に摺動可能に設けられバネにより前方に付勢されたスリーブとを備えており、雄型本体を雌型本体内に挿入して、該雄型本体の外周面に形成した係合溝が上記施錠子と半径方向で整合する位置まで来たときに、スリーブがバネ付勢力により施錠子を半径方向内側に変位させて係合溝に嵌合させながら前進し、該施錠子の半径方向外側位置まで変位されて該施錠子を係合溝内にロックし、それにより、当該雌型及び雄型管継手部材の連結が行われるようになっている。
【発明の開示】
【発明が解決しようとする課題】
【０００３】
上述の管継手を高圧流体用に用いる場合には、施錠子を確実に係合溝内に保持するために、該施錠子を抑える上記スリーブをなるべく半径方向で厚くすることが望まれる。しかし、上記説明からも分かるように、スリーブは、上記外筒と雌型本体の外周面との間のスリーブ受入部内に入るようにする必要がある。このため、このスリーブを厚くするためには、雌型本体の壁厚を薄くする必要がある。しかし、壁厚を薄くすると、施錠子がその分だけ施錠子孔よりも大きく半径方向外側に突出した状態となるため、該施錠子がスリーブに押されて係合溝内に押し込まれるときに、該スリーブと施錠子孔の開口縁との間に噛み込まれてしまい、施錠子が係合溝に嵌合されず、このため雄型管継手部材と雌型管継手部材とが連結不良となるおそれがあった。【０００４】
本発明は、スリーブの壁厚を大きくしても連結不良を防止することができる管継手及び雌型管継手部材を得ることを目的とする。
【課題を解決するための手段】
【０００５】
すなわち本発明は、
雌型管継手部材と雄型管継手部材からなる管継手において、
雌型管継手部材は、
筒状の雌型本体と、
該雌型本体に取り付けられ、該雌型本体の外周面との間に環状のスリーブ受入部を形成する外筒と、
該雌型本体を半径方向で貫通し、該雌型本体の外周面に開口縁を画定するように設けられる施錠子孔と、
施錠子孔内において該半径方向で変位可能とされた施錠子であって、一部が該雌型本体の内周面よりも内側に突出する内側位置と、該外筒の内周面と係合して、該施錠子孔からの抜け出しを阻止された外側位置との間で変位可能とされた施錠子と、
を備え；
雄型管継手部材は、
雌型本体内に挿入される筒状の雄型本体であって、その外周面が、該雌型本体内に挿入されるときに該施錠子が該内側位置に変位するのを阻止する変位阻止部と、該変位阻止部に続きその後側に設けられた施錠子係合溝とを有し、該雄型本体が該雌型本体内に挿入されて、該係合溝が該施錠子と半径方向で整合する位置まで来たときに、該施錠子が半径方向内側に変位して該係合溝に入るようにされた雄型本体と、
該雄型本体の外周面上に該雄型本体の軸線方向で摺動可能に設けられ当該雄型本体の前方にバネにより付勢されたスリーブであって、該雄型本体が該雌型本体内に挿入されるときに、該スリーブ受入部内に挿入されて、該変位阻止部によって該内側位置への変位を阻止されている該施錠子に係合して該挿入方向への変位を阻止され、施錠子係合溝が該施錠子と半径方向で整合されたときに、該バネの付勢力により該前方へ変位されることにより、該施錠子を該内側位置に変位させて該施錠子係合溝に嵌合させ、該施錠子の半径方向外側位置に位置して該施錠子を施錠子溝内にロックするようにしたスリーブと；
を有し、該雌型管継手部材は、更に、該雌型本体の該外周面上で該開口縁の該雌型本体を基準として後側の位置に設けられた噛込み阻止部材であって、該外側位置にある該施錠子に該スリーブが係合したときに、該施錠子と係合して該施錠子が該スリーブと該開口縁の後側部分との間に噛み込まれるのを阻止する噛込み阻止部材を有する管継手を提供する。【０００６】
この管継手においては、上述の如く雌型本体の外周面上で施錠子の（該外周面に画定される）開口縁の後側に噛み込み阻止部材を設けることにより、前述した従来技術において生じていた問題の発生を阻止することを可能としている。【０００７】
本発明においてはまた、
雄型管継手部材に連結される雌型管継手部材であって、
前端から該雄型管継手部材の筒状の雄型本体を受け入れるようになされている雌型本体と、
該雌型本体に取り付けられて該雌型本体の外周面との間に環状のスリーブ受入部を形成し、該雄型本体が雌型本体内に挿入されるときに、該雄型本体の外周面上に摺動可能に設けられてバネにより当該雄型本体の前方に付勢されたスリーブを該スリーブ受入部に受け入れるようになされた外筒と、
該雌型本体を半径方向で貫通し、該雌型本体の外周面に開口縁を画定するように設けられる施錠子孔と、
施錠子孔内において該半径方向で変位可能とされ、一部が該施錠子孔が形成されている雌型本体の内周面よりも内側に突出する内側位置と、該外筒の内周面と係合して、該施錠子孔からの抜け出しを阻止される外側位置との間で変位可能とされた施錠子であって、該雄型本体が該雌型本体内に挿入されるときに、該雄型本体の外周面によって係合されて該内側位置に変位するのを阻止され、該雄型本体の外周面に形成された施錠子係合溝が当該施錠子に半径方向で整合する位置まで該雄型本体が挿入されると、該バネによって付勢された該スリーブによって該内側位置に変位されて該係合溝に嵌合されるようにされ、該施錠子の半径方向外側位置に位置するようにされたスリーブによって施錠子溝内にロックされるようにした施錠子と；
を有し、該雌型管継手部材は、更に、該雌型本体の該外周面上で該開口縁の当該雌型本体を基準として後側の位置に設けられた噛込み阻止部材であって、該外側位置にある該施錠子に該スリーブが係合したときに、該施錠子と係合して該施錠子が該スリーブと該開口縁の後側部分との間に噛み込まれるのを阻止する噛込み阻止部材を有する雌型管継手部材を提供する。【０００８】
この雌型管継手部材においても、上記噛込み阻止部材を設けることにより上述の従来の雌型管継手部材において生じていた問題の発生を阻止することができる。【０００９】
上記管継手及び雌型管継手部材においては、具体的には、前記噛込み阻止部材が、施錠子孔の後側壁面に連続して半径方向外側に延び、前記外側位置にある施錠子にスリーブが係合したときに、施錠子と係合して施錠子が該スリーブと開口縁との間に噛み込まれるのを阻止する噛込み阻止面を有するようにすることができる。【００１０】
更に具体的には、噛込み阻止部材が、半径方向外側且つ後方に傾斜しスリーブ受入部に面する環状面を有し、環状面に噛込み阻止面が形成されるようにすることができる。【００１１】
また、前記施錠子が球形とされ、前記外側位置にあるときに、その中心が、施錠子孔の開口縁が画定されている雌型本体の外周面より半径方向外側位置にあるようにすることができる。【００１２】
更に、前記施錠子孔の後側壁面及び該後側壁面に連続する該噛込み阻止面が、当該雌型本体を基準として半径方向外側且つ後方に延びる傾斜面を形成するようにすることができる。【００１３】
また、スリーブの前端面を当該スリーブの半径方向内側且つ後方に延びる傾斜面とすることができる。
【図面の簡単な説明】
【００１４】
【図１】本発明に係る管継手の縦断面図であり、雌型管継手部材と雄型管継手部材の接続前の状態を示す図である。
【図２】図１の雌型管継手部材のスリーブ受入部を拡大して示す図である。
【図３】図１の管継手において、雄型管継手部材を雌型管継手部材に挿入した状態を示す縦断面図である。
【図４】同管継手において、雄型管継手部材を雌型管継手部材に更に挿入した状態を示す縦断面図である。
【図５】同管継手において雌型管継手部材と雄型管継手部材が連結された状態を示す縦断面図である。
【図６】同管継手において、雄型管継手部材のスリーブが雌型管継手部材のスリーブ受入部に挿入されたときの施錠子の状態を説明する図である。
【図７】同管継手の雌型管継手部材の端面図である。
【図８】同管継手の雌型管継手部材の外筒を除く部分を示す平面図である。
【図９】第２の実施例に係る雌型管継手部材の要部を拡大して示す図である。
【発明を実施するための最良の形態】
【００１５】
以下、本発明に係る管継手の実施形態を添付図面に基づき説明する。【００１６】
本発明に係る管継手１は、雌型管継手部材３と雄型管継手部材５とから成る。【００１７】
雌型管継手部材３は、筒状の雌型本体１１と、該雌型本体に取り付けられ、該雌型本体の先端近くの外周面１２との間に環状のスリーブ受入部１９を形成する外筒１７と、該外筒１７の内周面１７ａに対向する位置で雌型本体１１の周方向で間隔をあけて設けられ、当該雌型本体を半径方向で貫通する施錠子孔１３と、施錠子孔内において該半径方向で変位可能とされた施錠子１５とを有する。【００１８】
施錠子孔１３は、半径内側方向で先細りとされ、施錠子１５は、雌型本体１１の外周面１２の略半径方向内側位置（図１）とされて一部が雌型本体１１の内周面よりも内側に突出する内側位置（図１）と、外筒１７の内周面１７ａと係合して、該施錠子孔からの抜け出しを阻止された外側位置（図６）との間で変位可能とされている。【００１９】
図示の例では、雌型本体１１の内側の流体通路１４にはポペット弁１８が取り付けられている。【００２０】
雄型管継手部材５は、先端部分２２が雌型本体１１内に挿入される筒状の雄型本体２１と、該雄型本体の流体通路２４内に設定されたポペット弁２８と、該雄型本体の外周面上に軸線方向で摺動可能に設けられたスリーブ２７と、該スリーブを前方に付勢するためのコイルバネ２９と、スリーブ２７の前方への変位を制限するために雄型本体に取り付けられた保持用筒２６とを有する。【００２１】
雌型本体１１に挿入される雄型本体２１の先端部分２２は、雌型本体１１内に挿入されるときに、施錠子１５が上記内側位置（図１）に変位するのを阻止する環状の変位阻止部２３と、該変位阻止部に続きその後側に設けられた施錠子係合溝２５とを有する。該施錠子係合溝２５は、雄型本体２１が雌型本体１１内に挿入されて、該係合溝２５が施錠子１５と半径方向で整合する位置まで来たときに、施錠子１５が半径方向内側に変位して嵌合するようにされている。【００２２】
スリーブ２７は、雄型本体２１が雌型本体１１内に挿入されるときに、スリーブ受入部１９内に挿入されて、変位阻止部２３によって図１に示す内側位置への変位を阻止されている施錠子（図４）に係合して該挿入方向への変位を一旦阻止され、施錠子係合溝２５が施錠子１５と半径方向で整合されたときに（図５）、コイルバネ２９の付勢力により前方へ変位されることにより、施錠子１５を上記内側位置（図１）に変位させて施錠子係合溝２５に嵌合させ、施錠子１５の半径方向外側位置に位置して該施錠子１５を施錠子溝２５内にロックするようにされている。スリーブ２７の前端面２７ａは、当該スリーブの半径方向内側且つ後方に延びる傾斜面とされており、施錠子１５に半径方向内向きへの押圧力をかける。【００２３】
本発明に係る管継手では、雌型管継手部材３が、更に、雌型本体１１の先端近くの外周面に形成された施錠子孔１３の開口縁１３ａ（図２、図８）の後側の位置に設けられた噛込み阻止部材２０を有する（図２）。この噛込み阻止部材２０は、図示の実施例では、雌型本体１１と一体形成されており、半径方向外側且つ後方に傾斜してスリーブ受入部１９に面する環状面２０ａを有する。図２及び図８等から分かるように、施錠子孔１３は横断面が円形で、噛込み阻止部材２０は、該施錠子孔１３の後側壁面１３ｂに連続して半径方向外側に延びる横断面が円弧状の噛込み阻止面２０ｂを有する。図１においては、図で見て上下の施錠子１５ともに上述した半径方向内側位置にある状態で示したが、例えば、図１に示す雌型管継手部材が水平で且つ施錠子１５が図示の通りに上下の位置関係にあるとすると、下の施錠子１５はその自重により、図６に示す如き半径方向外側位置、すなわち、外筒１７の内周面１７ａと係合して、施錠子孔１３から抜け出るのを阻止される位置にある。この状態では、施錠子１５は、その中心Ｏが施錠子孔１３の開口縁１３ａより半径方向外側位置となる。このため、雄型本体が雌型本体内に挿入されてスリーブ２７がスリーブ受入部１９内に挿入されてきたときに、該施錠子１５は該スリーブ２７によって押圧され、図６に示す如く、噛込み阻止面２０ｂと係合することになる。すなわち、この状態では、前述のように、噛込み阻止面２０が設けられていない従来の雌型管継手部材において生じていた施錠子が施錠子孔の開口縁とスリーブとの間に挟まれて噛み込まれるという状態が回避され、従って、施錠子は、スリーブ２７が更にスリーブ受入部１９内に挿入されることによって半径方向内側に押圧されるようになる。【００２４】
次に上述の管継手の作用について説明する。【００２５】
雌型管継手部材３と雄型管継手部材５の接続前では、図１に示すように、雌型管継手部材３のポペット弁１８及び雄型管継手部材５のポペット弁２８は共にバネ圧によって閉じた状態にある。【００２６】
雌型管継手部材３へ挿入の雄型管継手部材５が開始されると、雄型本体２１が雌型本体１１内に挿入されると共にスリーブ２７がスリーブ受入部１９内に挿入され始める。雄型管継手部材の雌型管継手部材に対する挿入が進むと、スリーブ２７が先ず、図６の状態にある施錠子１５と係合し、該施錠子を噛込み阻止面２０ｂに係合させながら前進し、これにより該施錠子は半径方向内側に変位させられる。同時に、図１に示す半径方向内側位置にあった施錠子１５は、噛込み阻止部材２０の前方傾斜面２３´によって半径方向外側に押し出される。従って、全ての施錠子１５は、図４に示すように雄型本体２１の変位阻止部２３によって係合された状態となる。これにより、スリーブ２７はその前進を一旦停止され、このためコイルバネ２９が圧縮されてバネ圧が蓄積される。雄型管継手部材の雌型管継手部材に対する挿入が更に進むと、雄型本体の係合溝２５が施錠子孔１３と半径方向で整合した状態となり、施錠子１５は変位阻止部２３による係合が解除され、それによりスリーブ２７がコイルバネ２９によって前進され、施錠子を雄型本体の係合溝２５内に嵌合させる。その状態で、スリーブ２７の傾斜した前端面２７ａは、噛込み阻止部材２０の環状面２０ａに当接して停止し、施錠子１５を係合溝２５内にロックする。【００２７】
図９は、第２の実施例に係る雌型管継手部材を示しており、この雌型管継手部材では、噛込み阻止部材２０が、施錠子孔１３よりも後方位置に設けられ、施錠子孔１３の開口縁１３ａの半径方向上方位置への突出部を有し、該突出部２０ｃの先端に噛込み防止面２０ｂが形成されるようになっている。【００２８】
この噛込み阻止面２０ｂは、施錠子１５が外筒１７に当接する位置にあるときの施錠子１５の中心Ｏを通る軸線Ｂの近傍位置（図示の例では、軸線Ｂよりも半径方向外側位置）に設けられている。尚、この場合、噛込み阻止面２０ｂが施錠子孔１３の開口縁１３ｂの後側部１３ｄよりも施錠子１５側（図中右側）に突出することが好ましい。【００２９】
以上、本発明の実施例を説明したが、本願発明はこれに限定されるものではない。上述の実施例では、図１における下側にくる施錠子に関し、それがスリーブと施錠子開口の開口縁との間で噛み込まれるのを阻止する説明を行なったが、例えば、上下にある施錠子の中間にある施錠子は、雄型管継手部材が雌型管継手部材内に挿入される前は、図６に示した位置と図１に示した位置との中間の位置となっており、従って、スリーブがスリーブ受入部内に挿入されてきたときには、このスリーブによって半径方向内側に変位されるようになる。
【図１】
2009041630.tif 000003
【図２】
2009041630.tif 000004
【図３】
2009041630.tif 000005
【図４】
2009041630.tif 000006
【図５】
2009041630.tif 000007
【図６】
2009041630.tif 000008
【図７】
2009041630.tif 000009
【図８】
2009041630.tif 000010
【図９】
2009041630.tif 000011
【手続補正書】
【提出日】平成22年6月17日(2010.6.17)
【手続補正１】
【補正対象書類名】明細書
【補正対象項目名】００２３
【補正方法】変更
【補正の内容】
【００２３】
本発明に係る管継手では、雌型管継手部材３が、更に、雌型本体１１の先端近くの外周面に形成された施錠子孔１３の開口縁１３ａ（図２、図８）の後側の位置に設けられた噛込み阻止部材２０を有する（図２）。この噛込み阻止部材２０は、図示の実施例では、雌型本体１１と一体形成されており、半径方向外側且つ後方に傾斜してスリーブ受入部１９に面する環状面２０ａを有する。図２及び図８等から分かるように、施錠子孔１３は横断面が円形で、噛込み阻止部材２０は、該施錠子孔１３の後側壁面１３ｂに連続して半径方向外側に延びる横断面が円弧状の噛込み阻止面２０ｂを有する。図１においては、図で見て上下の施錠子１５ともに上述した半径方向内側位置にある状態で示したが、例えば、図１に示す雌型管継手部材が水平で且つ施錠子１５が図示の通りに上下の位置関係にあるとすると、下の施錠子１５はその自重により、図６に示す如き半径方向外側位置、すなわち、外筒１７の内周面１７ａと係合して、施錠子孔１３から抜け出るのを阻止される位置にある。この状態では、施錠子１５は、その中心Ｏが施錠子孔１３の開口縁１３ａより半径方向外側位置となる。このため、雄型本体が雌型本体内に挿入されてスリーブ２７がスリーブ受入部１９内に挿入されてきたときに、該施錠子１５は該スリーブ２７によって押圧され、図６に示す如く、噛込み阻止面２０ｂと係合することになる。すなわち、この状態では、前述のように、噛込み阻止面２０が設けられていない従来の雌型管継手部材において生じていた施錠子が施錠子孔１３の開口縁１３ａの後側部分１３ｄとスリーブ２７との間に挟まれて噛み込まれるという状態が回避され、従って、施錠子は、スリーブ２７が更にスリーブ受入部１９内に挿入されることによって半径方向内側に押圧されるようになる。
【手続補正２】
【補正対象書類名】図面
【補正対象項目名】図２
【補正方法】変更
【補正の内容】
【図２】
2009041630.tif 000012
【手続補正３】
【補正対象書類名】図面
【補正対象項目名】図６
【補正方法】変更
【補正の内容】
【図６】
2009041630.tif 000013
【国際調査報告】
2009041630.tif 000014
2009041630.tif 000015
2009041630.tif 000016
2009041630.tif 000017